(57)【要約】      （修正有）【課題】アルコール量を正確に計測し得るアルコール検知装置を簡易に構成する。【解決手段】アルコール検知装置は、吹き込み口に吹き込まれた運転手（被験者）の呼気に含まれるアルコール濃度を検出するアルコールセンサ１１と、運転席に着座した運転手を撮影するカメラ１３と、カメラ１３により撮影された運転手の画像に基づいて、吹き込み口と運転手との距離又は該距離と相関関係にある距離相関値を算出するアルコール検知ＥＣＵ２０のマイコン２１（制御手段）と、マイコン２１により算出された距離又は距離相関値が予め定められた設定範囲内にないとき運転手にその旨を報知する音声装置１４及び表示装置１５（報知手段）とを備える。【選択図】図２
2010017357.tif 000002
【特許請求の範囲】
【請求項１】
吹き込み口に吹き込まれた被験者の呼気に含まれるアルコール濃度を検出するアルコールセンサと、
運転席に着座した被験者を撮影するカメラと、
前記カメラにより撮影された被験者の画像に基づいて、前記吹き込み口と前記被験者との距離又は該距離と相関関係にある距離相関値を算出する制御手段と、
前記制御手段により算出された距離又は距離相関値が予め定められた設定範囲内にないとき前記被験者にその旨を報知する報知手段と、
を備えることを特徴とするアルコール検知装置。
【請求項２】
前記制御手段は、さらに前記カメラにより撮影された被験者の画像に基づいて、前記吹き込み口に対する前記被験者の顔向き角度を算出し、前記報知手段は、前記制御手段により算出された顔向き角度に基づいて前記被験者の顔面が前記吹き込み口と平行でないとき前記被験者にその旨を報知する請求項１に記載のアルコール検知装置。
【請求項３】
前記距離相関値は、前記カメラにより撮影された被験者の画像に基づいて算出された顔の全体又は一部の大きさを示す数値である請求項１又は２に記載のアルコール検知装置。
【請求項４】
前記報知手段は、前記被験者に音声で報知する音声装置である請求項１〜３のいずれか１項に記載のアルコール検知装置。
【請求項５】
前記報知手段は、前記被験者が視認可能な態様で表示する表示装置である請求項１〜３のいずれか１項に記載のアルコール検知装置。
【請求項６】
前記アルコール検知装置は、被験者が口元へ近づけて呼気を吹き込む携帯式のケースを有するものであり、前記アルコールセンサ及び前記カメラが前記ケースに組み込まれている請求項１〜５のいずれか１項に記載のアルコール検知装置。
【発明の詳細な説明】
【技術分野】
【０００１】
本発明はアルコール検知装置に関する。
【背景技術】
【０００２】
この種のアルコール検知装置は、通常、アルコールセンサを備えており、吹き込み口に吹き込まれた呼気からその呼気に含まれるアルコール濃度を検出する（例えば、下記特許文献１参照）。また、アルコールセンサを備える代わりに、被験者を撮影するカメラを備えたものもある（例えば、下記特許文献２参照）。この特許文献２では、カメラにより撮影された画像と、予め記憶されている被験者の平常時画像とに基づいて、被験者の酒気帯び度を検出するようにしている。
【０００３】
【特許文献１】特開２００４−３０５４９４号公報
【特許文献２】特開２００７−２９５９４６号公報
【発明の開示】
【発明が解決しようとする課題】
【０００４】
上記特許文献１に記載されたアルコールセンサを用いてアルコール濃度を検出する装置によれば、飲酒運転を防止するためのシステムを簡易に構成することができる。しかしながら、呼気に含まれるアルコール量を正確に計測するためには、吹き込み口と運転手の口との距離等を一定に保つ必要があるが、従来技術ではその点を考慮に入れていないため、アルコール量を正確に計測することが困難であった。
【０００５】
本発明は、上記問題に対処するためになされたものであり、その目的は、アルコール量を正確に計測し得るアルコール検知装置を簡易に構成することにある。
【０００６】
上記目的を達成するため、本発明のアルコール検知装置は、吹き込み口に吹き込まれた被験者の呼気に含まれるアルコール濃度を検出するアルコールセンサと、運転席に着座した被験者を撮影するカメラと、カメラにより撮影された被験者の画像に基づいて、吹き込み口と被験者との距離又は該距離と相関関係にある距離相関値を算出する制御手段と、制御手段により算出された距離又は距離相関値が予め定められた設定範囲内にないとき被験者にその旨を報知する報知手段と、を備えることを特徴とする。この場合、報知手段は、例えば、被験者に音声で報知する音声装置であるとよく、また被験者が視認可能な態様で表示する表示装置であってもよい。
【０００７】
本発明のアルコール検知装置においては、カメラにより撮影された被験者の画像に基づいて、制御手段により吹き込み口と被験者との距離又は距離相関値が算出される。そして、制御手段により算出された距離又は距離相関値が予め定められた設定範囲内にないとき、報知手段によりその旨が被験者に報知される。
【０００８】
被験者への成り済ましを防止する観点から、被験者自身がアルコール計測を行ったか否かを判断するために、今後、カメラを用いることが十分に予想される。したがって、この場合には、カメラを有効活用することで、アルコール検知装置の簡易化を図りつつ、呼気が吹き込み口に十分入るよう被験者が吹き込み口に顔を近づけるよう、あるいは遠ざけるように促すことで、アルコール濃度を正確に計測できるようになる。
【０００９】
本発明の実施に際して、制御手段は、さらにカメラにより撮影された被験者の画像に基づいて、吹き込み口に対する被験者の顔向き角度を算出し、報知手段は、制御手段により算出された顔向き角度に基づいて被験者の顔面が吹き込み口と平行でないとき被験者にその旨を報知するものであると好適である。
【００１０】
これによれば、呼気が吹き込み口に十分入るよう被験者が吹き込み口に対して顔の向きを変えるように促すことで、アルコール濃度の計測精度をより一層高めることができる。
【００１１】
また、前記距離相関値は、カメラにより撮影された被験者の画像に基づいて算出された顔の全体又は一部の大きさを示す数値とすることができる。吹き込み口と被験者との距離が遠いほど、被験者の画像は小さくなり、逆に吹き込み口と被験者との距離が近いほど、被験者の画像は大きくなる。したがって、カメラにより撮影された被験者の画像を使用すれば、吹き込み口と被験者との距離を簡易に特定することが可能である。
【００１２】
また、アルコール検知装置は、被験者が口元へ近づけて呼気を吹き込む携帯式のケースを有するものであり、アルコールセンサ及びカメラがケースに組み込まれているものでもよい。これによれば、アルコール検知装置をより一層コンパクトに構成することができる。
【発明を実施するための最良の形態】
【００１３】
ａ．第１実施形態
以下、本発明の各実施形態について図面を用いて説明する。図１は第１実施形態に係るアルコール検知装置を構成するアルコールセンサ等の配置構成図、図２はアルコール検知装置のブロック図である。このアルコール検知装置は、アルコールセンサ１１、測定開始スイッチ１２、カメラ１３、音声装置１４、表示装置１５、及びこれらとハーネスを介して接続されたアルコール検知ＥＣＵ２０で構成されている。
【００１４】
アルコールセンサ１１は、例えばインストルメントパネル１０におけるコンビネーションメータの周辺部位に設けられている。すなわち、インストルメントパネル１０には、運転席Ｄ側に開口する吹き込み口１０ａを通してインストルメントパネル１０外へ吹き出されるように呼気流路Ｐ１が形成されており、アルコールセンサ１１が呼気流路Ｐ１上に配置されている。
【００１５】
アルコールセンサ１１は、例えば白金製のコイルに酸化スズ等の金属酸化物をコーティングしてなる半導体センサであり、基板の通電によってセンサ部が所定温度に加熱されると、その表面にアルコール分子が吸着され、センサ部の電気抵抗値が変化するものである。アルコールセンサ１１は、このときの電気抵抗値をアルコール検知ＥＣＵ２０のマイコン２１に出力する。なお、アルコールセンサ１１は、半導体センサに限らず、例えば電気化学反応による起電力の変化を利用したものや、アルコール蒸気の分子が特定の波長の赤外線を吸収する特性を利用したものを用いてもよい。
【００１６】
測定開始スイッチ１２は、例えば接点のオンオフが切り替わるメカニカルスイッチであり、例えばステアリングホイールＳＷのスポーク部に設けられている。測定開始スイッチ１２のオン操作により、アルコールセンサ１１が起動される。
【００１７】
カメラ１３は、例えばＣＣＤ（Charge Coupled Device）や、ＣＭＯＳ（Complementary Metal Oxide Semiconductor）などのイメージセンサを備えた赤外線カメラであり、運転手Ｄの顔部を撮影できるように、例えばインストルメントパネル１０の上部に設けられている。測定開始スイッチ１２がオン操作されると、カメラ１３には、マイコン２１から所定の短い時間間隔で作動開始信号が入力される。カメラ１３は、この作動開始信号を受けて、運転手Ｄの顔部を撮影し、その画像データをマイコン２１に出力する。
【００１８】
音声装置１４（報知手段）は、例えばスピーカ１４ａと音声合成回路１４ｂとを備えている。音声装置１４は、マイコン２１からの制御指令に応じて、メモリ２２に予め記憶された音声データに基づいてアルコール計測状況、アルコール計測結果に基づく車両運転の可否などを音声メッセージにより出力する。
【００１９】
表示装置１５（報知手段）は、マイコン２１からの制御指令に応じて、カメラ１３による撮影画像をディスプレイ１５ａに表示する。なお、音声装置１４及び表示装置１５として、ナビゲーション装置を用いることが可能である。
【００２０】
アルコール検知ＥＣＵ２０は、マイコン２１、メモリ２２及び通信ＩＣ２３を備えている。マイコン２１（制御手段）は、ＣＰＵ、ＲＯＭ、ＲＡＭ、入出力部（Ｉ／Ｏ）などを主要構成部品としており、ＲＯＭに記憶されている図３の飲酒運転防止プログラムを繰り返し実行する。このマイコン２１は、アルコールセンサ１１からのセンサ信号に基づいてアルコール濃度を計測し、アルコール濃度の計測結果に応じてスタータリレーをオン又はオフするための制御信号を通信ＩＣ２３を介して車内ＬＡＮ４０に向けて送信する。
【００２１】
また、マイコン２１は、カメラ１３により撮影された運転手Ｄの顔の全体（或いは顔の一部）の画像に基づいて運転手Ｄの顔の大きさを数値化し（本発明の距離相関値を算出することに相当）、その数値が予め定められた設定範囲内になければその数値が設定範囲内に収まるように、運転手Ｄに対して顔を吹き込み口１０ａに近づける旨、又は運転手Ｄに対して顔を吹き込み口１０ａから遠ざける旨を報知すべく音声装置１４及び表示装置１５の動作を制御する。
【００２２】
さらに、マイコン２１は、例えば特開２００１−２４３４６６号公報に記載の周知の方法を用いて、カメラ１３により撮影された運転手Ｄの顔の全体（或いは顔の一部）の画像に基づき、吹き込み口１０ａに対する運転手Ｄの顔向き角度を計算する。この顔向き角度は、運転手Ｄの顔面が吹き込み口１０ａと平行となる位置（運転手Ｄの呼気が吹き込み口１０ａに最も入りやすい位置）を基準位置とし、基準位置よりも運転手Ｄの顔面が下向きのときを負の角度で表し、基準位置よりも運転手Ｄの顔面が上向きのときを正の角度で表すように計算される。そして、運転手Ｄの顔面が吹き込み口１０ａと平行でなければ、運転手Ｄに対して顔を上に向ける旨、又は運転手Ｄに対して顔を下に向ける旨を報知すべく音声装置１４及び表示装置１５の動作を制御する。
【００２３】
メモリ２２には、運転手Ｄと吹き込み口１０ａとの距離が適正であるときの運転手Ｄの顔の大きさを表す基準値データと、運転手Ｄの顔の輪郭を表す輪郭線データとが互いに関連付けられて記憶されている。また、メモリ２２には、運転手Ｄの顔面と吹き込み口１０ａとが平行であるときの運転手Ｄの顔の輪郭を表す輪郭線データが記憶されている。通信ＩＣ２３は、車内ＬＡＮ４０に接続されていて、マイコン２１からの制御信号を車内ＬＡＮ４０を経由してエンジンＥＣＵ３０に送信する。エンジンＥＣＵ３０は、マイコン２１からの制御信号に基づいて、スタータリレーをオン又はオフ（インターロック）する。
【００２４】
次に、上記のように構成した第１実施形態の作動について図３の飲酒運転防止プログラムを用いて説明する。運転手Ｄが運転席Ｓに着座して測定開始スイッチ１２をオン操作すると（Ｓ１１）、アルコールセンサ１１が起動するとともに、マイコン２１からの作動開始信号を受けてカメラ１３が運転手Ｄの顔部を所定の短い時間間隔で撮影する（Ｓ１２）。
【００２５】
次に、マイコン２１は、カメラ１３の画像データを読み込む。（Ｓ１３）読み取った画像デ−タを画像処理（例えば、顔の全体又は一部を２値化処理）し、顔の大きさの指標となる数値、例えば顔の面積（或いは顔の周長等）を計算し、メモリ２２に記憶する（Ｓ１４）。また、読み取った画像デ−タから顔向き角度を計算し、メモリ２２に記憶する（Ｓ１５）。そして、求めた顔の大きさの指標となる数値をメモリ２２に予め記憶されている基準位置での数値と比較する（Ｓ１６）。この基準位置での数値は、運転手Ｄと吹き込み口１０ａとの距離が適正であるときの運転手Ｄの顔の大きさを表す値に設定されている。なお、図示は省略するが、カメラ１３の画像データに基づいて、アルコール計測を行う被験者と運転手Ｄとが一致するか否かの判定を行い、アルコール計測を行う被験者と運転手Ｄとが一致しない場合は、ステップＳ１６以降の処理を実行しないように構成されている。
【００２６】
比較の結果、求めた数値が基準位置での数値よりも小さいとき、すなわち運転手Ｄの顔の位置が基準位置よりも遠いと判定したときは（Ｓ１６：Ｙｅｓ）、例えば「顔を近づけて下さい」等の音声メッセージを音声装置１４に出力させる（Ｓ１７）。また、マイコン２１は、例えば図４にて破線で示すような顔の撮影画像（図４では顔の輪郭線のみを破線で表示してある）と、実線で示すような基準位置での顔の輪郭線とを表示装置１５のディスプレイ１５ａに表示させる（Ｓ１８）。これにより、運転手Ｄは、現在の顔の位置が吸い込み口１０ａから離れ過ぎていることを視覚及び聴覚の両面から認識することができる。
【００２７】
一方、求めた数値が基準位置での数値よりも大きいとき、すなわち運転手Ｄの顔の位置が基準位置よりも近いと判定したときは（Ｓ１６：Ｙｅｓ）、例えば「顔を遠ざけて下さい」等の音声メッセージを音声装置１４に出力させる（Ｓ１７）。また、マイコン２１は、例えば図４にて二点鎖線で示すような顔の撮影画像（図４では顔の輪郭線のみを二点鎖線で表示してある）と、実線で示すような基準位置での顔の輪郭線とを表示装置１５のディスプレイ１５ａに表示させる（Ｓ１８）。これにより、運転手Ｄは、現在の顔の位置が吸い込み口１０ａに近づき過ぎていることを視覚及び聴覚の両面から認識することができる。求めた数値が基準位置での数値よりも小さいか、又は大きい状態が続く場合は、ステップＳ１２〜Ｓ１８の処理が繰り返し実行される。
【００２８】
ステップＳ１２〜Ｓ１８の処理が繰り返し実行されている状態から、運転手Ｄが顔の位置を修正することで、求めた数値が設定範囲内に収まれば、すなわち運転手Ｄと吹き込み口１０ａとの距離がアルコール量を正確に検出可能な範囲内に収まれば（Ｓ１６：Ｎｏ）、ステップＳ１９に進む。
【００２９】
ステップＳ１９では、ステップＳ１５で求めた顔向き角度に基づいて、運転手Ｄの顔面が吹き込み口１０ａと平行であるか否かを判定する。なお、ステップＳ１９における判定処理は、運転手Ｄの顔面と吹き込み口１０ａとの厳密な意味での平行関係を判定するものではなく、運転手Ｄの呼気が吹き込み口１０ａに十分入る程度の略平行関係も含まれるよう所定角度の範囲内であれば平行と判定されるように構成されている。
【００３０】
運転手Ｄの顔面が吹き込み口１０ａと平行でないと判定したとき（Ｓ１９：Ｎｏ）、求めた顔向き角度に応じて運転手Ｄの顔が下向きであれば、例えば「顔を上に向けて下さい」等の音声メッセージを音声装置１４に出力させる（Ｓ２０）。また、マイコン２１は、図４で示したのと同様にして、顔の撮影画像と、基準位置での顔の輪郭線とを表示装置１５のディスプレイ１５ａに表示させる（Ｓ１８）。これにより、運転手Ｄは、現在の顔の向きが吸い込み口１０ａに対して下に向き過ぎていることを視覚及び聴覚の両面から認識することができる。
【００３１】
一方、運転手Ｄの顔面が吹き込み口１０ａと平行でないと判定したとき（Ｓ１９：Ｎｏ）、求めた顔向き角度に応じて運転手Ｄの顔が上向きであれば、例えば「顔を下に向けて下さい」等の音声メッセージを音声装置１４に出力させる（Ｓ２０）。また、マイコン２１は、図４で示したのと同様にして、顔の撮影画像と、基準位置での顔の輪郭線とを表示装置１５のディスプレイ１５ａに表示させる（Ｓ１８）。これにより、運転手Ｄは、現在の顔の向きが吸い込み口１０ａに対して上に向き過ぎていることを視覚及び聴覚の両面から認識することができる。求めた顔向き角度が平行でない状態が続く場合は、ステップＳ１２〜Ｓ１６，Ｓ１９，Ｓ２０，Ｓ１８の処理が繰り返し実行される。
【００３２】
ステップＳ１２〜Ｓ１６，Ｓ１９，Ｓ２０，Ｓ１８の処理が繰り返し実行されている状態から、運転手Ｄが顔の位置を修正することで、運転手Ｄの顔面が吸い込み口１０ａと平行になれば（Ｓ１９：Ｙｅｓ）、ステップＳ２１に進む。
【００３３】
ステップＳ２１では、マイコン２１は、例えば「呼気を吹きかけて下さい」等の音声メッセージを音声装置１４に出力させる。そして、マイコン２１は、アルコールセンサ１１からのセンサ信号に基づいてアルコール濃度を計算し（Ｓ２２）、アルコール濃度の計算が完了すると（Ｓ２３：Ｙｅｓ）、計算されたアルコール濃度の測定値を表示装置１５のディスプレイ１５ａに表示させるとともに、そのアルコール濃度が所定の閾値以下であるか否かを判定する（Ｓ２４）。
【００３４】
この場合、運転手Ｄが飲酒状態になければ（Ｓ２４：Ｙｅｓ）、マイコン２１は、例えば「運転可能です」等の音声メッセージを音声装置１４に出力させ（Ｓ２５）、スタータリレーをオンするようエンジンＥＣＵ３０に制御信号を送信する（Ｓ２６）。
【００３５】
一方、運転手Ｄが飲酒状態にあれば（Ｓ２４：Ｎｏ）、マイコン２１は、例えば「アルコールを検出しました。運転できません」等の音声メッセージを音声装置１４に出力させ（Ｓ２７）、スタータリレーをオフするようエンジンＥＣＵ３０に制御信号を送信する（Ｓ２８）。これにより、運転手Ｄが飲酒状態にある場合は、車両を走行させることが禁止される。
【００３６】
以上の説明からも明らかなように、この第１実施形態では、カメラ１３により撮影された運転手Ｄの画像に基づいて、マイコン２１により吹き込み口１０ａと運転手Ｄとの距離相関値が算出される。そして、マイコン２１により算出された距離相関値が予め定められた設定範囲内にないとき、音声装置１４及び表示装置１５によりその旨が運転手Ｄに報知される。
【００３７】
これにより、運転手Ｄへの成り済ましを防止する等の観点から、車両に搭載されたカメラ１３を有効活用することで、アルコール検知装置の簡易化を図りつつ、呼気が吹き込み口１０ａに十分入るよう運転手Ｄが吹き込み口１０ａに顔を近づけるよう、あるいは遠ざけるように促すことで、アルコール量を正確に計測できるようになる。
【００３８】
また、上記第１実施形態では、マイコン２１によって、カメラ１３により撮影された運転手Ｄの画像に基づいて、吹き込み口１０ａに対する運転手Ｄの顔向き角度が計算される。そして、マイコン２１により計算された顔向き角度に基づいて運転手Ｄの顔面が吹き込み口１０ａと平行でないとき、音声装置１４及び表示装置１５によりその旨が運転手Ｄに報知される。その結果、呼気が吹き込み口に十分入るよう運転手Ｄが吹き込み口１０ａに対して顔の向きを変えるように促すことで、アルコール濃度の計測精度をより一層高めることができる。
【００３９】
なお、上記第１実施形態では、ステップＳ１７及びＳ１８の処理の実行により、視覚及び聴覚の両面から現在の顔の位置が適正ではない（基準位置よりも遠い又は近い）ことを認識できるように構成したが、ステップＳ１７及びＳ１８のうち少なくとも一方の処理のみを実行するように構成してもよい。
【００４０】
また、上記第１実施形態では、ステップＳ１８及びＳ２０の処理の実行により、視覚及び聴覚の両面から現在の顔の位置が適正ではない（基準位置よりも下向き又は上向き）ことを認識できるように構成したが、ステップＳ１８及びＳ２０のうち少なくとも一方の処理のみを実行するように構成してもよい。なお、ステップＳ１９の処理及びこれに関連する処理（ステップＳ１５，Ｓ２０）は省略することが可能である。
【００４１】
また、上記第１実施形態では、カメラ１３の画像に基づいて顔の大きさの指標となる数値（距離相関値）を求め、求めた数値と基準位置での数値とを比較して、吹き込み口１０ａと運転手Ｄとの距離が適正であるか否かを間接的に判断するようにしたが、カメラ１３の画像に基づいて吹き込み口１０ａと運転手Ｄとの距離を算出し、算出した距離から吹き込み口１０ａと運転手Ｄとの距離が適正であるか否かを直接的に判断するようにしてもよい。
【００４２】
また、表示装置１５のディスプレイ１５ａに顔の撮影画像を表示することに加えて又は代えて、例えば３つのＬＥＤを用いた表示（バロメータ表示）を行う構成としてもよい（顔の位置が基準位置よりも近いときは赤色点灯表示、遠いときは青色点灯表示、適切な距離であれば緑色点灯表示など）。
【００４３】
ｂ．第２実施形態
上記第１実施形態では、アルコールセンサ１１がインストルメントパネル１０に固定されるように構成したが、これに限らず、例えば図５に示すように、運転手Ｄが口元へ近づけて呼気を吹き込む携帯式（ハンディー式）のケース１００を有し、アルコールセンサ１１１、測定開始スイッチ１１２、カメラ１１３、音声装置１１４、表示器１１６及びアルコール検知ＥＣＵ１２０がケース１００に組み込まれるように構成してもよい。
【００４４】
ケース１００の正面壁１０１には、吹き込み口１０１ａが形成され、ケース１００の背面壁１０２には、吹き込み口１０１ａとほぼ同軸上に吹き出し口１０２ａが形成されており、ケース１００の内部には、吹き込み口１０１ａに吹き込まれた呼気が吹き出し口１０２ａを通して外部へ吹き出されるように呼気流路Ｐ２が形成されている。
【００４５】
アルコールセンサ１１１は、センサ部１１１ａと基板１１１ｂとを有し、基板１１１ｂが呼気流路Ｐ２の一部を形成するようにケース１００内部に組み込まれ、センサ部１１１ａが呼気流路Ｐ２側へ突出配置されている。
【００４６】
測定開始スイッチ１１２は、例えば接点のオンオフが切り替わるメカニカルスイッチであり、ケース１００の正面壁１０１に外側へ突出配置されている。この測定開始スイッチ１１２は、下向きの変位（ケース１００の内側へ進む方向）により接点がオンとなり、上向きの変位（ケース１００の外側へ進む方向）により接点がオフとなる。測定開始スイッチ１１２のオン操作により、アルコールセンサ１１１が起動される。
【００４７】
カメラ１１３は、上記第１実施形態のカメラを小型化したものであり、ケース１００の正面壁１０１にて吹き込み口１０１ａの近傍に形成された開口孔１０１ｂを通して運転手Ｄを撮影可能とされている。
【００４８】
音声装置１１４は、例えばブザーであり、運転手Ｄと吹き込み口１０１ａとの位置関係を音で運転手Ｄに報知する。具体的には、運転手Ｄと吹き込み口１０１ａとの距離が設定範囲内であって、精度の高いアルコール濃度の計測が可能な状態では、音声装置１１４が例えば「ピッピッ」等、短い長さの音を繰り返し発生する。一方、運転手Ｄと吹き込み口１０１ａとの距離が設定範囲を超える場合であって、精度の高いアルコール濃度の計測が不能な状態では、音声装置１１４が例えば「ピー」等、音を切らずに長い音を発生する。
【００４９】
表示器１１６は、例えばＬＥＤディスプレイであり、計算されたアルコール濃度の測定値を表示する。表示器１１６は、ケース１００の正面壁１０１に外側から視認可能な態様で配置されている。
【００５０】
この第２実施形態によれば、アルコール検知装置をより一層コンパクトに構成することができる。なお、音声装置１１４、表示器１１６に加えて又は代えて、上記第１実施形態と同様の音声装置１４、表示装置１５を使用し、この第２実施形態においても、図３の飲酒運転防止プログラムを実行する構成としてもよい。
【００５１】
また、この第２実施形態においても、例えば３つのＬＥＤを用いた表示（バロメータ表示）を行う構成として、運転手Ｄと吹き込み口１０１ａとの位置関係を報知するようにしてもよい（顔の位置が基準位置よりも近いときは赤色点灯表示、遠いときは青色点灯表示、適切な距離であれば緑色点灯表示など）。
【図面の簡単な説明】
【００５２】
【図１】本発明の第１実施形態に係るアルコール検知装置を構成するアルコールセンサ等の配置構成図。
【図２】図１のブロック図。
【図３】図２のアルコール検知ＥＣＵのマイコンにより実行される飲酒運転防止プログラムを示すフローチャート。
【図４】顔の撮影画像と基準位置での顔の輪郭線とが表示装置のディスプレイに表示される場合を示す模式図。
【図５】本発明の第２実施形態に係り、（ａ）はアルコール検知装置の正面図。（ｂ）は（ａ）のＡ−Ａ断面図。
【符号の説明】
【００５３】
１０  インストルメントパネル
１０ａ，１０１ａ  吹き込み口
１１，１１１  アルコールセンサ
１２，１１２  測定開始スイッチ
１３，１１３  カメラ
１４，１１４  音声装置（報知手段）
１５  表示装置（報知手段）
２０，１２０  アルコール検知ＥＣＵ
２１  マイコン（制御手段）
２２  メモリ
２３  通信ＩＣ
３０  エンジンＥＣＵ
４０  車内ＬＡＮ
１００  ケース
【図１】
2010017357.tif 000003
【図２】
2010017357.tif 000004
【図３】
2010017357.tif 000005
【図４】
2010017357.tif 000006
【図５】
2010017357.tif 000007